(57)【要約】【課題】薄型でサイズが小さい脱臭装置を提供する。【解決手段】ハウジング８内に、前記シロッコファン６を収納するファン収納部２３と、シロッコファン６の回転軸方向と直交する方向において前記ファン収納部２３に隣接する隣接空間部２４が形成される。ファン収納部２３と隣接空間部２４を仕切る仕切部３７の片側半部にシロッコファン６の吐出口２７が設けられる。仕切部３７に対向する隣接空間部２４の側面部４０に下流側開口部３９が形成される。隣接空間部２４にシロッコファン６の吐出口２７と下流側開口部３９を接続する風洞４２が形成される。隣接空間部２４において、仕切部３７の吐出口２７と反対側の半部及び隣接空間部２４の吐出口２７と反対側の壁部４６に沿って機器収納部４３が形成される。【選択図】        図１
2010099145.tif 000002
【特許請求の範囲】
【請求項１】
吸気口及び排気口が設けられたハウジングと、ハウジング内に収納されて、前記吸気口から空気を吸い込んで排気口から排出するシロッコファンと、排気口から排出される空気を脱臭する脱臭手段を備え、ハウジング内に、前記シロッコファンを収納するファン収納部と、シロッコファンの回転軸方向と直交する方向において前記ファン収納部に隣接する隣接空間部が形成され、ファン収納部と隣接空間部を仕切る仕切部の片側半部にシロッコファンの吐出口が設けられ、仕切部に対向する隣接空間部の側面部に下流側開口部が形成され、隣接空間部にシロッコファンの吐出口と下流側開口部を接続する風洞が形成されて、該風洞を介してシロッコファンの吐出口が排気口に連通され、前記隣接空間部において、仕切部の吐出口と反対側の半部及び隣接空間部の吐出口と反対側の壁部に沿って機器収納部が形成され、該機器収納部に内装機器が配設されることを特徴とする脱臭装置。
【請求項２】
前記下流側開口部はその開口面積が吐出口の開口面積よりも大きく形成され、風洞と機器収納部の境界壁が風洞の下流側に行くに従って風洞の幅が広がるように傾斜し、該風洞における吐出口よりも幅が広げられた部分に脱臭手段を構成する脱臭フィルターが設けられることを特徴とする請求項１に記載の脱臭装置。
【発明の詳細な説明】
【技術分野】
【０００１】
本発明はトイレ等に設置される脱臭装置に関する。
【背景技術】
【０００２】
従来、例えば特許文献１に示されるようにトイレ等に設置される脱臭装置が利用されている。また、従来、脱臭装置を狭い設置スペースに設置する場合や、設置した際に脱臭装置が邪魔にならないようにするために、薄型の脱臭装置を利用することが多々ある。
【０００３】
ところで、ファンを用いて空気を吸引し、これを脱臭フィルターのような脱臭手段で脱臭し、この後、脱臭された空気を排出する脱臭装置にあっては、薄型化を実現するために、ファン自体の厚みが薄いシロッコファンを用いることが好ましい。
【０００４】
ここで、脱臭装置からシロッコファンの排気方向とは異なる方向に排気を行う場合には、脱臭装置内においてシロッコファンの下流側に風路を形成する必要があるが、この他にも脱臭装置内には内装機器等を配設する必要があり、脱臭装置の厚みやサイズが大きくなるという問題がある。
【特許文献１】特開２００３−２７８２２１号公報
【発明の開示】
【発明が解決しようとする課題】
【０００５】
本発明は上記従来の問題点に鑑みてなされたものであって、薄型でサイズが小さい脱臭装置を提供することを課題とする。
【課題を解決するための手段】
【０００６】
上記課題を解決するために本発明に係る脱臭装置は、吸気口７及び排気口９が設けられたハウジング８と、ハウジング８内に収納されて、前記吸気口７から空気を吸い込んで排気口９から排出するシロッコファン６と、排気口９から排出される空気を脱臭する脱臭手段を備え、ハウジング８内に、前記シロッコファン６を収納するファン収納部２３と、シロッコファン６の回転軸方向と直交する方向において前記ファン収納部２３に隣接する隣接空間部２４が形成され、ファン収納部２３と隣接空間部２４を仕切る仕切部３７の片側半部にシロッコファン６の吐出口２７が設けられ、仕切部３７に対向する隣接空間部２４の側面部４０に下流側開口部３９が形成され、隣接空間部２４にシロッコファン６の吐出口２７と下流側開口部３９を接続する風洞４２が形成されて、該風洞４２を介してシロッコファン６の吐出口２７が排気口９に連通され、前記隣接空間部２４において、仕切部３７の吐出口２７と反対側の半部及び隣接空間部２４の吐出口２７と反対側の壁部４６に沿って機器収納部４３が形成され、該機器収納部４３に内装機器が配設されることを特徴とする。
【０００７】
また、前記下流側開口部３９はその開口面積が吐出口２７の開口面積よりも大きく形成され、風洞４２と機器収納部４３の境界壁４５が風洞４２の下流側に行くに従って風洞４２の幅が広がるように傾斜し、該風洞４２における吐出口２７よりも幅が広げられた部分に脱臭手段を構成する脱臭フィルター５０が設けられることが好ましい。
【発明の効果】
【０００８】
請求項１にあっては、内装機器が収納される機器収納部を、ファン収納部に隣接する隣接空間部において、仕切部の吐出口と反対側の半部の側方で且つ風洞が形成されていないデッドスペースに形成することができ、このため、ハウジング内のスペースを有効に利用でき、脱臭装置を薄型で且つ小さいものとすることができる。
【０００９】
また、請求項２にあっては、脱臭フィルターを風洞におけるファンの吐出口よりも幅が広げられた部分に亘って設けられるので、脱臭効率を高いものとすることができ、また、境界壁をテーパー状に傾斜させたことにより、風洞を通過する空気の圧力損失を低減でき、これによりシロッコファンを小型化し、脱臭装置をさらに薄型で小さいものとすることができる。
【発明を実施するための最良の形態】
【００１０】
以下、本発明の実施形態の一例を添付図面に基づいて説明する。
【００１１】
図１及び図２に示すように、本例の脱臭装置１はトイレの便器２の側方の壁６８に沿って配設され、便器２の左右方向における外側に配置されるものである。
【００１２】
図３のようにトイレの床に設置される便器２は洋式便器であって、便器２の後部上端部には便座３及び便蓋４が回動自在に取り付けられている。便器２の後部には脱臭装置１とは別に図示しない脱臭機が設けられ、ボウル部５内の空気を後方の脱臭機に吸い込んでこれを脱臭できるようになっている。
【００１３】
以下、本例の脱臭装置１について詳述する。なお、以下の脱臭装置１の説明では、特に記載する場合を除き、図２において紙面に対して垂直な方向を前後方向とし、且つ、図２紙面手前側を前方と規定して説明する。
【００１４】
脱臭装置１は、ハウジング８に設けられた吸気口７からシロッコファン６によりトイレ内の空気を吸い込み、該空気を脱臭手段にて脱臭し、この後、ハウジング８に設けられた排気口９からトイレ内に排出するものである。
【００１５】
図４に示すように、脱臭装置１は、前方に開口し且つ上下方向の厚みが薄い略矩形薄箱状に形成されたハウジング８と、ハウジング８内に配設された上下厚みの薄い薄型の脱臭ユニット１０と、ハウジング８の前開口１２の全体を覆うようにハウジング８に取り付けられた通気性を有する通気グリル１３を備えている。
【００１６】
脱臭ユニット１０は、内ケーシング１４に、シロッコファン６、シロッコファン６を駆動制御するファン駆動制御部１５、脱臭手段を構成する脱臭フィルター５０及び静電霧化装置１７、静電霧化装置１７を駆動制御する霧化装置駆動制御部１８等が設けられてユニット化されたものである。
【００１７】
内ケーシング１４は、上下厚みが薄く且つ左右方向に長い略長方形状をした箱状部２０と、該箱状部２０の片側（便座３に着座した着座者を基準としたときの後側）の半部から下方に向けて突設された機器配設部２１と、機器配設部２１の下部から外側方に向けて突設された設置部２２を備えている。
【００１８】
図５に示すように、箱状部２０内の平面視で左右方向に長い略長方形状の空間は箱状部２０に形成された仕切部３７により左右に二分されており、これにより、箱状部２０の設置部２２と反対側の半部の内部には平面視略矩形状のファン収納部２３が形成されている。また、箱状部２０の設置部２２側の半部の内部にはファン収納部２３と左右方向において隣接する平面視略矩形状の隣接空間部２４が形成されている。
【００１９】
ファン収納部２３にはシロッコファン６が配設されている。シロッコファン６は、回転軸方向が上下方向と平行となる羽根２５と、羽根２５を収納する平面視略蝸牛状のファンケース２６を備えている。
【００２０】
シロッコファン６の外郭を構成するファンケース２６の下面部にはシロッコファン６の吸入口３０が形成され、ファンケース２６の隣接空間部２４側の側面部の後側半部には矩形状の吐出口２７が突設されている。
【００２１】
図６に示すように、ファン収納部２３の底面部２８には上下に貫通する吸込口２９が形成されている。シロッコファン６の吸入口３０は吸込口２９を介してファン収納部２３の下方の空間３１に連通している。空間３１の上面及び側面の夫々は箱状部２０の下面部（ファン収納部２３の底面部２８）及び機器配設部２１の側面部３３によって構成され、該箱状部２０の下面部及び機器配設部２１の側面部３３によって上流側風路形成部３４が構成されている。
【００２２】
脱臭ユニット１０をハウジング８内に組み込むことで、ハウジング８内には上流側風路形成部３４とハウジング８の内面とで構成され機器配設部２１及びファン収納部２３と区画された上流側風路３５が形成される。つまり、この上流側風路３５はシロッコファン６の吸入口３０側である下方に位置し、シロッコファン６の回転軸方向と平行な上下方向においてシロッコファン６と並設されている。
【００２３】
ファン収納部２３の下方の空間３１の前方には、ハウジング８の前面に設けられた通気グリル１３の一側部（前記着座者を基準としたときの前側部分）が位置し、該通気グリル１３の一側部における上流側風路３５に対向する部分で吸気口７が構成される。また、上流側風路３５には吸気口７から吸い込んだ空気に含まれる塵を捕集する防塵フィルター３６が配設されている。
【００２４】
図５に示すようにファン収納部２３と隣接空間部２４を仕切る仕切部３７の後側半部には左右方向に貫通する開口からなる嵌込部３８が形成されている。嵌込部３８にはシロッコファン６の吐出口２７が嵌め込まれている。
【００２５】
仕切部３７に対向する隣接空間部２４の側面部４０には矩形状の下流側開口部３９が形成されている。下流側開口部３９は側面部４０の前後方向の略全長に亘り、その前後幅は吐出口２７の前後幅よりも大きい。これにより下流側開口部３９の開口面積は吐出口２７よりも大きくなっている。
【００２６】
隣接空間部２４にはシロッコファン６の吐出口２７から側方に向かって伸びて、吐出口２７と下流側開口部３９を連通接続する風洞４２が形成されている。
【００２７】
隣接空間部２４において、仕切部３７の前側半部の側方に位置し且つ風洞４２が形成されていない残りの部位には機器収納部４３が形成されており、該機器収納部４３にファン駆動制御部１５が配設されている。
【００２８】
風洞４２と機器収納部４３は境界壁４５にて前後に仕切られている。境界壁４５の吐出口２７側の端部は仕切部３７の開口からなる嵌込部３８の前縁に接続されている。風洞４２の前面の一部を構成する境界壁４５は、左右方向において、下流側（下流側開口部３９側）に行くに従って風洞４２の前後幅を広げるように傾斜している。仕切部３７の下流側開口部３９側の端部は箱状部２０の前面部を構成する隣接空間部２４の隣接空間部２４の吐出口２７と反対側の壁部４６に接続され、これにより機器収納部４３は仕切部３７の吐出口２７が設けられた側とは反対側の半部と壁部４６に沿った平面視略直角三角形状に形成されている。
【００２９】
上記風洞４２によって下流側風路形成部４７が構成される。また、設置部２２の上方で且つ箱状部２０の側方には風洞４２に連通する空間４８が形成される。
【００３０】
脱臭ユニット１０をハウジング８内に組み込むことで、ハウジング８内には下流側風路形成部４７とハウジング８の内面とで構成され機器配設部２１及びファン収納部２３と区画された下流側風路４９が形成される。この下流側風路４９は、ファン６の吐出口２７側である側方に位置する。
【００３１】
箱状部２０側方の空間４８の前方には通気グリル１３の吸気口７とは反対側の側部が位置し、該通気グリル１３の他側部における下流側風路４９に対応する部分で排気口９が構成される。
【００３２】
風洞４２の境界壁４５よりも下流側には脱臭フィルター５０が設けられている。脱臭フィルター５０は空気中に含まれる臭気成分を吸着するための触媒が塗布されたものであり、触媒の作用により排気口９から吐出される空気の脱臭を行う。
【００３３】
脱臭フィルター５０は風洞４２の仕切部３７に設けられたファン６の吐出口２７よりも前後幅が広げられた部分に配設される。
【００３４】
静電霧化装置１７は、液体を静電霧化することにより、発生した帯電微粒子液を前記脱臭フィルター５０を通過した空気に供給して脱臭を行うものである。
【００３５】
静電霧化装置１７は、図７に概略的に示すように、熱交換部５２、霧化部５３、及びこれらを駆動制御する霧化装置駆動制御部１８（図６参照）で構成され、このうち熱交換部５２及び霧化部５３が設置部２２上に設置される。
【００３６】
熱交換部５２は、霧化液となる結露水を後述の霧化電極５４に供給する霧化液供給手段を成すものであり、通電により冷却側及び放熱側を形成するペルチェユニット５５から成る。ペルチェユニット５５の冷却側に備えた冷却板５６が熱交換部５２の冷却部を成し、ペルチェユニット５５の放熱側に備えた放熱フィン５７が熱交換部５２の放熱部を成す。
【００３７】
熱交換部５２の冷却板５６からは、上方に向けて細長柱状の霧化電極５４を突設している。霧化電極５４を覆う枠体５８には、霧化電極５４の上方にて霧化電極５４の先端と所定距離を隔てて対向する位置に対向電極５９が固定されている。霧化電極５４、枠体５８、及び対向電極５９により、帯電微粒子液を発生させる霧化部５３が構成される。
【００３８】
霧化電極５４と対向電極５９の間には、両電極５４、５９間に高電圧を印加する高電圧印加部６０が設けられている。高電圧印加部６０及びペルチェユニット５５にはこれらを制御する制御部６１が接続され、該制御部６１と高電圧印加部６０で霧化装置駆動制御部１８が構成される。
【００３９】
制御部６１がペルチェユニット５５に通電を開始すると、冷却板５６を介して霧化電極５４が冷却され、空気中の水分を基にして霧化電極５４上には結露水が生成される。そして霧化電極５４表面に霧化液としての水が保持された状態で、制御部６１は高電圧印加部６０により霧化電極５４と対向電極５９との間に高電圧を印加し、霧化電極５４上の水を該霧化電極５４の先端にて静電霧化させて帯電微粒子液を生成する。
【００４０】
霧化部５３で生成された帯電微粒子液は、上方の上流側風路３５の空間４８に向けて放出される。
【００４１】
図６に示すように、静電霧化装置１７の霧化装置駆動制御部１８を構成する高電圧印加部６０、基板６２、コンデンサー６３等は、機器配設部２１内に配設される。この機器配設部２１は上下方向において下流側風路４９の風洞４２と並設され且つ上流側風路３５の空間４８の側方に位置する。
【００４２】
図１及び図２に示すように、脱臭装置１は便器２の側方に立設されたトイレの壁６８に突設したカウンター６５の下面に取り付けられ、ハウジング８の長手方向が前記着座者を基準としたときの前後方向と平行とされ、吸気口７が便器２の前部の上方部に臨む。
【００４３】
脱臭装置１を利用する場合、シロッコファン６及び静電霧化装置１７を駆動する。これにより、トイレ内の便器２前部の上方部の空気が通気グリル１３の一部で構成された吸気口７から上流側風路３５に吸い込まれ、この後、防塵フィルター３６で塵等が除去されて、吸込口２９及び吸入口３０を介してファンケース２６内に吸い込まれる。
【００４４】
続いて、ファン６の吐出口２７からファン６の回転軸方向と直交する側方の風洞４２に向けて前記清浄化された空気が吐出され、この空気が脱臭フィルター５０を通過して脱臭がなされ、次に、下流側開口部３９から側方の空間４８に吐出され、該空間４８において静電霧化装置１７で発生した帯電微粒子液が付与される。
【００４５】
そしてこの後、前記通気グリル１３の一部で構成された排気口９に至り、該排気口９から脱臭及び清浄化され且つ帯電微粒子液を含む空気がトイレ内の便器２後部の上方部に向けて排出される。
【００４６】
前記帯電微粒子液はナノメータサイズを含む小さな粒径であり且つ強い電荷を持つものであって、高い脱臭効果や殺菌効果等の多様な効果を奏するものである。このため、前述のように脱臭後の空気に乗せて帯電微粒子液をトイレ内に放出することで、トイレ内の隅々にまで帯電微粒子液を行き渡らせて、トイレ内の脱臭や除菌を行うことができる。
【００４７】
以上説明した脱臭装置１は、図６のように、ファン駆動制御部１５が収納される機器収納部４３を、ファン収納部２３に隣接する隣接空間部２４において、仕切部３７の吐出口２７と反対側の半部の側方で且つ風洞４２が形成されていないデッドスペースに形成することができ、このため、ハウジング８内のスペースを有効に利用でき、脱臭装置１を薄型で且つ小さいものとすることができる。
【００４８】
また、脱臭フィルター５０は風洞４２の仕切部３７に設けられたファン６の吐出口２７よりも前後幅が広げられた部分に亘って配設される。このため下流側風路４９を流れる空気の脱臭フィルター５０による脱臭効率を高めることができる。また、境界壁４５をテーパー状に傾斜させたことにより、風洞４２における圧力損失を低減できる。
【００４９】
なお、上記の例では、脱臭装置１をトイレのカウンター６５に取り付けたが、図８に示すように、脱臭装置１をトイレの壁６８に沿って設置したカウンターキャビネット６７に組み込んでも良く、また、図９に示すように脱臭装置１をトイレの壁６８に直接設けても良い。
【００５０】
また、上記の例では、機器配設部２１に霧化装置駆動制御部１８を設けると共に、機器収納部４３にファン駆動制御部１５が設けたが、機器配設部２１やファン駆動制御部１５に設けられる内装部品はこれら霧化装置駆動制御部１８やファン駆動制御部１５に限定されるものではない。
【図面の簡単な説明】
【００５１】
【図１】本発明の実施形態の一例を示すトイレ設備の平面図である。
【図２】同上の側面図である。
【図３】同上の便器の斜視図である。
【図４】同上の脱臭装置の分解斜視図である。
【図５】同上の脱臭ユニットの上側から見た斜視図である。
【図６】同上の脱臭ユニットの下側から見た斜視図である。
【図７】同上の静電霧化装置を概略的に示す説明図である。
【図８】同上の脱臭装置をカウンターキャビネットに設けた例を示す斜視図である。
【図９】同上の脱臭装置を壁に設けた例を示す断面図である。
【符号の説明】
【００５２】
１  脱臭装置
６  シロッコファン
７  吸気口
８  ハウジング
９  排気口
２３  ファン収納部
２４  隣接空間部
２７  吐出口
３７  仕切部
３９  下流側開口部
４０  側面部
４２  風洞
４３  機器収納部
【図１】
2010099145.tif 000003
【図２】
2010099145.tif 000004
【図３】
2010099145.tif 000005
【図４】
2010099145.tif 000006
【図５】
2010099145.tif 000007
【図６】
2010099145.tif 000008
【図７】
2010099145.tif 000009
【図８】
2010099145.tif 000010
【図９】
2010099145.tif 000011